(57)【要約】  【課題】集塵効率の低下を抑制できる電気掃除機を提供する。  【解決手段】空気とともに吸い込んだ塵埃を空気から分離する分離部52に設けた分離部フィルタ55の下流側に連通するバイパス風路BWにより、分離部52で分離した塵埃を集塵する集塵部53に設けた集塵部フィルタ59の下流側の面に空気を吹き付けることで、集塵部フィルタ59への塵埃の貼り付きを抑制し、集塵部フィルタ59の目詰まりを抑制して集塵効率の低下を抑制できる。  【選択図】図１
2005218561.tif 000002
【特許請求の範囲】
【請求項１】
電動送風機を収容した掃除機本体と、
前記電動送風機の負圧により空気とともに吸い込まれた塵埃を空気から分離する分離部と、
この分離部に設けられた分離部フィルタと、
前記分離部で分離された塵埃を集塵する集塵部と、
この集塵部に設けられ、前記分離部フィルタよりも下流側に位置する集塵部フィルタと、
前記分離部フィルタの下流側に連通し、前記集塵部フィルタの下流側の面に空気を吹き付けるバイパス風路と
を具備したことを特徴とした電気掃除機。
【請求項２】
バイパス風路は、集塵部フィルタを通過する空気と交差する方向に空気を前記集塵部フィルタに吹き付ける
ことを特徴とした請求項１記載の電気掃除機。
【請求項３】
電動送風機を収容した掃除機本体と、
前記電動送風機の負圧により空気とともに吸い込まれた塵埃を空気から分離する分離部と、
この分離部に設けられた分離部フィルタと、
前記分離部で分離された塵埃を集塵する集塵部と、
この集塵部に設けられ、前記分離部フィルタよりも下流側に位置する集塵部フィルタと、
この集塵部フィルタの下流側の面に配置され、この集塵部フィルタおよび前記分離部フィルタを通過した少なくともいずれか一方からの空気により駆動されて前記集塵部フィルタの下流側の面を掃除する駆動掃除部と
を具備したことを特徴とした電気掃除機。
【発明の詳細な説明】
【技術分野】
【０００１】
本発明は、分離部で分離された塵埃を集塵する集塵部に設けられた集塵部フィルタを備えた電気掃除機に関する。
【背景技術】
【０００２】
従来、この種の電気掃除機は、電動送風機を収容した掃除機本体を備えている。この掃除機本体には、電動送風機の吸込側に連通する分離集塵部が設けられている。この分離集塵部は、例えば塵埃を含む空気を旋回させて塵埃を空気から分離して集塵するものである。この分離集塵部には、電動送風機の吸込側との間に複数のフィルタが設けられている（例えば、特許文献１参照。）。
【０００３】
また、分離集塵部に、塵埃を空気とともに直進させて空気から塵埃を分離する第１の分離部と、塵埃を空気とともに旋回させて空気から塵埃を分離する第２の分離部とを設け、これら各分離部にそれぞれフィルタを設ける構成もある（例えば、特許文献２参照。）。
【特許文献１】特開２００３−３１０５０３号公報（第２−４頁、図１）
【特許文献２】特許第３４６１８２４号公報（第４頁、図１）
【発明の開示】
【発明が解決しようとする課題】
【０００４】
しかしながら、上述の電気掃除機では、捕集した塵埃により一つのフィルタが目詰まりすると、このフィルタに付着しない塵埃が他のフィルタへと付着するので、他のフィルタも次々と目詰まりして電気掃除機の吸込力が低下し、集塵効率が低下するという問題点を有している。
【０００５】
本発明は、このような点に鑑みなされたもので、集塵効率の低下を抑制できる電気掃除機を提供することを目的とする。
【課題を解決するための手段】
【０００６】
本発明は、電動送風機の負圧により空気とともに吸い込まれた塵埃を空気から分離する分離部と、この分離部に設けられた分離部フィルタと、分離部で分離された塵埃を集塵する集塵部と、この集塵部に設けられ、分離部フィルタよりも下流側に位置する集塵部フィルタと、分離部フィルタの下流側に連通し、集塵部フィルタの下流側の面に空気を吹き付けるバイパス風路とを具備したものである。
【０００７】
また、本発明は、集塵部フィルタの下流側の面に配置され、この集塵部フィルタおよび分離部フィルタを通過した少なくともいずれか一方からの空気により駆動されて集塵部フィルタの下流側の面を掃除する駆動掃除部を具備したものである。
【発明の効果】
【０００８】
本発明によれば、分離部フィルタの下流側に連通するバイパス風路により集塵部フィルタの下流側の面に空気を吹き付けることで、集塵部フィルタへの塵埃の貼り付きを抑制し、集塵部フィルタの目詰まりを抑制して集塵効率の低下を抑制できる。
【０００９】
また、本発明によれば、集塵部フィルタおよび分離部フィルタの少なくともいずれか一方を通過した空気により駆動掃除部を駆動して集塵部フィルタの下流側の面を掃除することで、集塵部フィルタへの塵埃の貼り付きを抑制し、集塵部フィルタの目詰まりを抑制して集塵効率の低下を抑制できる。
【発明を実施するための最良の形態】
【００１０】
以下、本発明の第１の実施の形態の電気掃除機の構成を図１ないし図３を参照して説明する。
【００１１】
図１および図３において、１は掃除機本体で、この掃除機本体１は、吸い込んだ吸込風に含まれる塵埃を分離して集塵する電気掃除機である。また、この掃除機本体１は、下ケース２、この下ケース２の上側に取り付けられた図示しない中ケース、この中ケースの後部を閉塞して下ケース２および中ケースに取り付けられた上ケース４、および、中ケースの前側上部を開閉可能に覆う蓋体５を備えた本体ケース６を有している。さらに、本体ケース６の中ケースと上ケース４との間には、電動送風機７が収容されている。
【００１２】
そして、下ケース２の前側には、底部に旋回輪11が旋回可能かつ回転可能に取り付けられた有底円筒状の空間であるカップ保持部12が設けられている。このカップ保持部12の上側は、蓋体５により覆われる。また、下ケース２の後側の両側には、本体ケース６の進行方向前側および後側に沿って回転可能な一対の走行輪13がそれぞれ取り付けられている。この結果、掃除機本体１が被掃除面としての床面上を走行可能となっている。
【００１３】
さらに、蓋体５の前側には、前方に向けて開口した本体吸込口14が設けられている。この本体吸込口14には、可撓性を有するホース体15の基端が連通されて着脱可能に接続されている。このホース体15の先端には、電動送風機７の動作モードなどが選択可能な手元操作部16が設けられている。この手元操作部16には、掃除機本体１内の電動送風機７などの駆動状態を所定の状態に設定する複数の設定ボタン17が設けられているとともに、掃除する際に操作者が把持する把持部18が基端側に突設されている。また、この手元操作部16の先端には、伸縮可能な細長略円筒状の延長管21が着脱可能に連通接続されている。さらに、この延長管21の先端には、例えば室内の床面の絨毯などの上に設置させて、この絨毯上の塵埃を吸い込む吸込口体としての床ブラシ22が着脱可能に連通接続されている。
【００１４】
また、下ケース２と上ケース４との間は、中ケースにより区画された図示しないコードリール室内に、コードリール24が収容されている。このコードリール24には、電動送風機７を駆動させる電源を外部から供給させる図示しない電源コードが巻回されている。この電源コードは、下ケース２の後部に設けられた図示しないコード口から本体ケース６の外部へと引き出し可能に導出されている。さらに、この電源コードの先端には、壁面などに設けられた図示しないコンセントに取り外し可能に差し込まれる図示しないプラグ部が設けられている。
【００１５】
また、本体ケース６の側部には、複数の排気孔25が穿設されている。
【００１６】
さらに、電動送風機７は、吸込口26と排気口27とを有し、吸込口26から吸い込んだ空気を排気口27から排気する。
【００１７】
そして、カップ保持部12には、塵埃分離部としての集塵装置である集塵カップ33が設けられている。この集塵カップ33は、図１および図２に示すように、外壁部34、この外壁部34の前方に突出した連通筒部35、この連通筒部35の下流側かつ外壁部34の内側に設けられた内壁部36、および、外壁部34の内側かつ内壁部36の後方に設けられた区画壁部37を備えている。
【００１８】
外壁部34は、集塵カップ33の外周面を形成するもので、集塵カップ33の前側から上側および両側部に亘って連続している。また、この外壁部34は、上側が後方に向けて拡径されるとともに、後端部に電動送風機７の吸込側である吸込口26に連通する開口部41が開口形成されている。
【００１９】
連通筒部35は、パイプ状に設けられ、集塵カップ33の上側寄りの位置に前方に向けて水平に突出している。そして、この連通筒部35は、カップ保持部12に取り付けた状態で吸込側すなわち上流側が本体吸込口14に連通する。
【００２０】
内壁部36は、連通筒部35の上側の外壁部34の内側面から後方に突出した上側内壁部43と、この上側内壁部43の後端部から下方に滑らかに湾曲した後側内壁部44とを備えている。そして、この内壁部36により、連通筒部35の下流側に前側すなわち連通筒部35側の空間部である前側空間部47と、後側すなわち開口部41側の空間部である後側空間部48とがそれぞれ区画形成されている。
【００２１】
さらに、前側空間部47内には、連通筒部35の後部から整流板部51が後方に突設されている。この整流板部51は、連通筒部35の後部から水平に突出した水平部51aと、この水平部51aの後端部から下方に略垂直に突出した垂直部51bとを有しており、前側空間部47内に略Ｌ字状に屈曲されたメイン風路MWを形成する。そして、この整流板部51により、空気とともに集塵カップ33内に吸い込まれた塵埃を空気から分離する分離部52と、この分離部52で分離された塵埃を集塵する集塵部53とが、前側空間部47内にそれぞれ区画形成されている。
【００２２】
分離部52は、電動送風機７の負圧により連通筒部35を通過した塵埃を含む空気を直進させて塵埃を空気から分離するものである。
【００２３】
集塵部53は、分離部52の下流側に上流側が連通するとともに、分離部52の下方に位置している。
【００２４】
また、上側内壁部43は、後方に向けて下方に傾斜し、分離部52の上部を形成している。この上側内壁部43には、分離部52と後側空間部48とを連通する上側連通孔54が穿設されている。この上側連通孔54は、下端部が連通筒部35の上端部よりも上側に位置している。そして、この上側連通孔54には、メッシュ状の分離部フィルタ55が着脱可能に設けられている。すなわち、この分離部フィルタ55は、分離部52に設けられている。また、この分離部フィルタ55は、連通筒部35から分離部52へと流入する吸込風の流れ方向に沿って面方向を有している。そして、この分離部フィルタ55は、連通筒部35から分離部52に流入した空気の一部が通過して、この通過の際にこの空気に含まれる塵埃を捕集するものである。
【００２５】
一方、後側内壁部44は、上側内壁部43の後端部から集塵カップ33の下部に亘って、後方に向けて傾斜状に設けられ、集塵部53の後部を形成している。この後側内壁部44には、集塵部53と後側空間部48とを連通する後側連通孔58が穿設されている。この後側連通孔58は、後側内壁部44の下側寄りの位置に設けられ、上端部が整流板部51の水平部51aよりも下側に位置するとともに、下端部が垂直部51bよりも下側に位置している。
【００２６】
そして、この後側連通孔58には、メッシュ状の集塵部フィルタ59が着脱可能に設けられている。すなわち、この集塵部フィルタ59は、集塵部53に設けられている。このため、この集塵部フィルタ59は、分離部フィルタ55よりも下流側に位置している。また、この集塵部フィルタ59は、分離部52から集塵部53へと流入する吸込風の流れ方向に沿って面方向を有している。そして、この集塵部フィルタ59は、分離部52を通過して集塵部53へと流入した空気が通過して、この通過の際にこの空気に含まれる塵埃を捕集するものである。
【００２７】
区画壁部37は、後側空間部48内、すなわち内壁部36の後方に位置し、上側連通孔54の上方の外壁部34の上側の内側面から下方に湾曲され、かつ後側連通孔58の上端部の近傍に下端部が位置している。このため、この区画壁部37と内壁部36との間には、分離部フィルタ55を介して上側連通孔54を通過した空気が通過するバイパス風路BWが区画形成されている。すなわち、このバイパス風路BWは、上側連通孔54により上流側が分離部52の下流側に分離部フィルタ55を介して連通するとともに、下流側が連通開口部61を介して集塵部フィルタ59の下流側に連通し、かつ下流側へ向けて縮径されている。
【００２８】
連通開口部61は、略垂直下方に向けて開口している。このため、バイパス風路BWを通過する空気は、連通開口部61により集塵部フィルタ59の下流側の面に向けて垂直下方向に吹き付けられる。
【００２９】
そして、集塵カップ33の下部には、図１に示すように、集塵部53の下部を開閉可能にする下蓋部65が回動可能に設けられている。また、集塵カップ33の連通筒部35の下部には、集塵カップ33を持ち運び可能にするハンドル部66が設けられている。このハンドル部66には、下蓋部65を開閉させる図示しない操作ボタンが設けられている。
【００３０】
そして、外壁部34の開口部41には、集塵カップ33をカップ保持部12に取り付けた状態でフィルタ部67が嵌合している。このフィルタ部67は、電動送風機７の吸込口26に連通し、プリーツフィルタ68を取付枠体69に取り付けて設けられている。
【００３１】
プリーツフィルタ68は、分離部フィルタ55および集塵部フィルタ59を通過した吸込風に含まれる細塵を捕集するものであり、後側空間部48に嵌合し、掃除機本体１の上下方向に沿って長手状に設けられ、掃除機本体１の幅方向に沿って、掃除機本体１の前後方向に交互に湾曲した、いわゆるプリーツ状に設けられている。また、このプリーツフィルタ68は、各フィルタ55，59よりも目が細かく形成されている。
【００３２】
また、取付枠体69は、略四角枠状に設けられ、プリーツフィルタ68を内部に保持している。
【００３３】
そして、このフィルタ部67は、掃除機本体１内に設けられた図示しない隔壁と集塵カップ33との間に位置している。この隔壁は、電動送風機７の前方に位置し、この電動送風機７を収容する図示しない電動送風機室と、カップ保持部12とを区画するものである。また、この隔壁には、カップ保持部12と電動送風機室とを連通する図示しない通気孔が穿設されている。
【００３４】
次に、上記第１の実施の形態の動作を説明する。
【００３５】
まず、本体吸込口14にホース体15、延長管21および床ブラシ22を順次連通接続し、電源コードを本体ケース６から導出してプラグ部をコンセントに接続する。
【００３６】
次いで、作業者は、手元操作部16の所定の設定ボタン17を操作して電動送風機７を所定の動作モードで動作させ、把持部18を把持し、床ブラシ22を床面上で前後に走行させて掃除する。
【００３７】
電動送風機７の駆動により床ブラシ22の先端から塵埃とともに吸い込まれた空気は、吸込風となって延長管21、ホース体15および本体吸込口14を順次通過し、連通筒部35から集塵カップ33内の分離部52へと流入する。
【００３８】
この分離部52へと流入した吸込風は、整流板部51の水平部51aにより水平直線状に導かれて直進し、内壁部36の後側内壁部44に衝突して塵埃が重力分離された後、垂直部51bに導かれてメイン風路MWを経由しつつ下方の集塵部53へと流入する。
【００３９】
この重力分離された塵埃は、集塵カップ33内で落下し、集塵部53内に集塵される。
【００４０】
また、分離部52へと流入した吸込風の一部は、分離部フィルタ55を介して上側連通孔54を通過してバイパス風路BWに流入する。このとき、吸込風に含まれる塵埃は分離部フィルタ55により捕集される。
【００４１】
そして、集塵部53に流入した吸込風の一部は、垂直部51bの下端部からこの垂直部51bの前側に廻り込む。また、集塵部53に流入した吸込風の他の一部は、集塵部フィルタ59を介して後側連通孔58を通過する。
【００４２】
ここで、分離部52で分離できなかった吸込風に含まれる塵埃が集塵部フィルタ59により捕集されるとともに、集塵部に集塵された塵埃の中で比較的重量が軽いものがこの吸込風により集塵部フィルタ59側へと吸い寄せられて集塵部53内で圧縮される。
【００４３】
このとき、バイパス風路BWに流入した吸込風が、連通開口部61から垂直下方、すなわち集塵部フィルタ59を通過する吸込風と交差する方向に向けて集塵部フィルタ59の下流側の面に吹き付けられ、塵埃の貼り付きを防止する。
【００４４】
そして、集塵部フィルタ59を通過した吸込風および連通開口部61から吹き付けられた吸込風は、後側空間部48に流入し、プリーツフィルタ68を通過して電動送風機７の吸込口26からこの電動送風機７内に流入した後、この電動送風機７内を通過して排気風となって排気口27から電動送風機７の外部へと排気され、本体ケース６の排気孔25から掃除機本体１の外部へと排気される。
【００４５】
また、集塵部53で集塵した塵埃は、集塵カップ33を本体ケース６から取り外し、ハンドル部66を作業者が把持した状態で操作ボタンを操作して下蓋部65を開くことで、ごみ箱などに廃棄する。
【００４６】
上述したように、上記第１の実施の形態によれば、分離部フィルタ55の下流側に連通するバイパス風路BWにより集塵部フィルタ59の下流側の面に吸込風を吹き付けることで、比較的軽い塵埃などの集塵部フィルタ59への貼り付きを抑制し、集塵部フィルタ59の目詰まりを抑制できる。
【００４７】
この結果、電動送風機７の吸引力の低下を抑制できて集塵量を向上でき、集塵効率の低下を抑制できる。
【００４８】
特に、バイパス風路BWの入口である上側連通孔54を分離部52の上部に設けたことにより、バイパス風路BWを通過する吸込風の流量はメイン風路MWを通過する吸込風の流量よりも小さいため、分離部フィルタ55は集塵部フィルタ59よりも目詰まりしにくい。このため、より目詰まりしにくい分離部フィルタ55を経由してバイパス風路BWを通過した吸込風を集塵部フィルタ59の目詰まりの抑制に使用することで、集塵部フィルタ59の掃除の効率を向上できる。
【００４９】
さらに、集塵部フィルタ59への塵埃の貼り付きを抑制できるので、集塵カップ33内に集塵された塵埃を外部に廃棄する際に、集塵部フィルタ59から塵埃が剥がれ易く、メンテナンスが容易になる。
【００５０】
そして、上側連通孔54の下端部を連通筒部35の上端部よりも上方に位置させることにより、連通筒部35から分離部52に流入した吸込風が分離部フィルタ55に直接吹き付けられることを防止し、この分離部フィルタ55の目詰まりを抑制できる。
【００５１】
同様に、後側連通孔58の上端部を連通筒部35の下端部から水平に突設された整流板部51の水平部51aよりも下方に位置させることにより、連通筒部35から分離部52に流入した吸込風が集塵部53へと流れる際に集塵部フィルタ59に直接吹き付けられることを防止し、この集塵部フィルタ59の目詰まりを、より抑制できる。
【００５２】
また、バイパス風路BWを上流側から下流側へと縮径することで、連通開口部61から集塵部フィルタ59の下流側の面に吹き付けられる吸込風の風速を大きくできるので、集塵部フィルタ59の目詰まりを、より確実に抑制できる。
【００５３】
さらに、各フィルタ55，59をそれぞれ吸込風の流れ方向に沿って配置することにより、これら各フィルタ55，59に付着した塵埃が、吸込風が流れることで剥がれ易くなるので、各フィルタ55，59のメンテナンスを、より容易にできる。
【００５４】
そして、上記第１の実施の形態では、バイパス風路BWを通過する吸込風を、集塵部フィルタ59の下流側の面に、この集塵部フィルタ59を通過する吸込風と交差する方向である垂直下方に向けて吹き付ける構成とした。
【００５５】
この結果、集塵部フィルタ59に対して平行に吸込風を吹き付ける場合と比較して、集塵部フィルタ59への塵埃の貼り付きを、より効率よく抑制できるとともに、集塵部フィルタ59に対して略垂直に吸込風を吹き付ける場合と比較して、集塵部フィルタ59を上流側から下流側へと通過する吸込風と集塵部フィルタ59に吹き付けられた吸込風とが互いに干渉して吸い込みが悪化することを抑制できる。
【００５６】
次に、第２の実施の形態の構成を図４および図５を参照して説明する。なお、上記第１の実施の形態と同様の構成および作用については、同一符号を付してその説明を省略する。
【００５７】
図４に示すように、後側連通孔58は、例えば一対、それぞれ略円形状に設けられ、電気掃除機の幅方向に互いに離間されている。また、これら後側連通孔58は、集塵カップ33の幅方向の中心側の部分が連通開口部61の下方に位置している。そして、これら後側連通孔58のそれぞれには、集塵部フィルタ59が着脱可能に取り付けられている。
【００５８】
各後側連通孔58の下流側の面には、それぞれ駆動掃除部としてのファン状の掃除体71が回転可能にそれぞれ設けられている。これら掃除体71は、図５に示すように、各後側連通孔58の中心に位置した中心軸71aと、この中心軸71aの径方向に沿って複数、例えば４つ突設されたブレード部71bと、これらブレード部71bのそれぞれに設けられた毛ブラシ71cとを有している。
【００５９】
中心軸71aは、略円柱状に設けられ、内壁部36の後側内壁部44に対して略垂直に後方に突出している。
【００６０】
各ブレード部71bは、それぞれ略等しい細長板状に形成され、中心軸71aの周方向に略等角度に互いに離間されている。また、これらブレード部71bは、長手方向の一端部が中心軸71aの軸方向に対してそれぞれ略等しい角度に傾斜して中心軸71aに設けられている。さらに、これらブレード部71bは、幅方向の一側部が集塵部フィルタ59の下流側の面に対向している。すなわち、各ブレード部71bは、面方向が集塵部フィルタ59の面に対して傾斜している。このため、掃除体71は、集塵部フィルタ59を通過する空気である吸込風、あるいはバイパス風路BWを通過して連通開口部61から吹き付けられる空気により、中心軸71aを中心として周方向に回転する。さらに、各ブレード部71bは、長手方向の他端部が集塵部フィルタ59の外周部に位置している。
【００６１】
毛ブラシ71cは、例えば可撓性を有する合成樹脂などで形成され、各ブレード部71bの後側連通孔58に対向する幅方向の一側部全体に、これら各ブレード部71bの長手方向に亘って基端部が設けられている。また、これら毛ブラシ71cは、先端部が各集塵部フィルタ59の下流側から上流側へと若干挿入されている。
【００６２】
そして、各掃除体71は、図４に示すように、掃除機本体１の幅方向の中心線について、互いに線対称に形成されている。すなわち、各掃除体71は、バイパス風路BWを通過して連通開口部61から吹き付けられる空気により、互いに反対方向に回転する。
【００６３】
次に、上記第２の実施の形態の動作を説明する。
【００６４】
第１の実施の形態と同様の動作によりバイパス風路BWに流入し連通開口部61から垂直下方に向けて吹き付けられる吸込風と、集塵部フィルタ59を通過する吸込風とが各ブレード部71bに当たることで、各掃除体71の各ブレード部71bが中心軸71aを中心として回転する。
【００６５】
そして、各ブレード部71bに設けられた毛ブラシ71cの先端部が、集塵部フィルタ59の下流側に回転しつつ当接することで、集塵部フィルタ59に貼り付こうとする塵埃を、集塵部53内へと除去する。
【００６６】
上述したように、上記第２の実施の形態によれば、分離部フィルタ55を通過してバイパス風路BWに流入した吸込風と集塵部フィルタ59を通過した吸込風とにより掃除体71を回転させて集塵部フィルタ59の下流側の面を掃除することで、連通開口部61から吹き付けられる吸込風により集塵部フィルタ59を掃除する場合と比較して、集塵部フィルタ59の目詰まりを、より確実に抑制できる。
【００６７】
さらに、集塵部フィルタ59を円形状に設け、回転する掃除体71のブレード部71bに設けた毛ブラシ71cにより各集塵部フィルタ59を掃除するため、集塵部フィルタ59を隅々まで掃除でき、集塵部フィルタ59全体に塵埃が貼り付くことを確実に抑制できる。
【００６８】
そして、分離部フィルタ55を通過してバイパス風路BWに流入した吸込風と集塵部フィルタ59を通過した吸込風との両方により掃除体71を回転させるので、掃除体71を確実に回転させることができるとともに、例えば各フィルタ55，59のいずれか一方が目詰まりした場合などでも、各フィルタ55，59のいずれか他方を通過した吸込風により掃除体71を回転させることができるので、集塵部フィルタ59の目詰まりを、より長期に亘って抑制できる。
【００６９】
なお、上記第２の実施の形態において、掃除体71は、例えば、集塵部フィルタ59が一つの場合には、一つ設ける構成、あるいは集塵部フィルタ59が三つ以上の場合には、集塵部フィルタ59の個数に対応させて三つ以上設ける構成など、集塵部フィルタ59の形状、あるいは個数などに合わせて形状および個数を任意に設定可能である。
【００７０】
また、掃除体71の各ブレード部71bに、毛ブラシ71cに代えて集塵部フィルタ59を振動させる部材を設けてこの集塵部フィルタ59を振動させて掃除する構成とすることも可能である。
【００７１】
さらに、駆動掃除部は、掃除体71に限定されず、各フィルタ55，59のいずれか一方を通過した吸込風により駆動される他の様々な形態が可能である。
【００７２】
そして、電気掃除機は、上記各実施の形態を組み合わせた構成とすることも可能である。
【００７３】
また、上記各実施の形態において、電気掃除機の細部は、上記構成に限定されるものではない。
【図面の簡単な説明】
【００７４】
【図１】本発明の第１の実施の形態の電気掃除機を示す縦断面図である。
【図２】同上電気掃除機の一部を示す斜視図である。
【図３】同上電気掃除機を示す斜視図である。
【図４】本発明の第２の実施の形態の電気掃除機の一部を示す斜視図である。
【図５】同上電気掃除機の駆動掃除部を示す斜視図である。
【符号の説明】
【００７５】
１    掃除機本体
７    電動送風機
52    分離部
53    集塵部
55    分離部フィルタ
59    集塵部フィルタ
71    駆動掃除部としての掃除体
BW    バイパス風路
【図１】
2005218561.tif 000003
【図２】
2005218561.tif 000004
【図３】
2005218561.tif 000005
【図４】
2005218561.tif 000006
【図５】
2005218561.tif 000007